(57)【要約】【課題】不使用時に塗付部にて衣服などを汚さないよう、また、塗布部の乾燥防止、キズや破損などの塗布部保護のために着脱自在なキャップを有している場合、使用時には、このキャップを取り外すが、形状によっては持ちにくかったり、ケガをして両手が使用できないとき、あるいは子供、年配者などで握力が十分でないときには取り外すのが大変な場合があった。【解決手段】軸本体内に塗布体が内蔵されると共に、その塗布体の塗布部が覆われるキャップを有する塗布具であって、前記塗布体を軸本体に対して前後動可能に配置すると共に、前記キャップの軸本体に対する離脱作用を塗布体の後退動作に連動させた塗布具。【選択図】　図１
2004025763.tif 000002
【特許請求の範囲】
【請求項１】
軸本体内に塗布体が内蔵されると共に、その塗布体の塗布部が覆われるキャップを有する塗布具であって、前記塗布体を軸本体に対して前後動可能に配置すると共に、前記キャップの軸本体に対する離脱作用を塗布体の後退動作に連動させたことを特徴とする塗布具。
【請求項２】
前記塗布体の後部に、その塗布体の内部を加圧する加圧機構を配置したことを特徴とする請求項１記載の塗布具。
【請求項３】
前記軸本体の中間部側面に押圧操作部材を配置する共に、その押圧操作部材の径方向の移動によって、前記塗布体を後退させたことを特徴とする請求項１、或いは、請求項２に記載の塗布具。
【発明の詳細な説明】
【０００１】
【発明の属する技術分野】
本発明は、塗布具のホルダーに関するものであり、その塗布具の一例としては、アイライナーやマニュキュア、リップライナーなどの化粧具、ボールペンや鉛筆などの筆記具、筆穂やスポンジなどが取り付けられた修正具などが挙げられる。
【０００２】
【従来の技術】
一例として、特開２０００−５１７７３号公報を挙げ説明する。この公報の特許請求の範囲の請求項１には、「硬質材料からなる略長筒状の本体の内部に液剤収容部を有し、該本体の前端に液剤収容部に連通する塗布口が形成され、この塗布口を開閉する弁体がばね力で付勢されて一部を外方突出した液剤塗布器において、前記液剤収容部が弾性材料からなる内筒にて構成され、該内筒を包囲する前記本体の周壁の一部に、開口部と、外側へ突出する凸部とが形成され、この凸部に押圧部材が取り付けられ、前記押圧部材は、前記凸部に連結する基部と、この基部より前記本体の長手方向に沿って張出する押圧片と、該押圧片の下面に突設されて先端が前記開口部に突入配置する突片とを備え、液剤の塗布時に押圧部材の押圧片を指で押さえて変位させることにより、前記内筒が該押圧部材の突片の先端で押圧されて変形し、この変形に伴って該内筒の内圧が上昇するように構成されてなる液剤塗布器。」と記載されている。
即ち、前記押圧部材を指で押さえ、内筒を変形させることにより、その内筒の内圧を上昇させ、その内圧の上昇によって、塗布口から液剤が吐出されるものである。
【０００３】
【発明が解決しようとする課題】
上記の従来技術は、吐出をさせるための操作部が側面にあり、塗布中に手を持ち換えることなく、液剤の吐出操作が可能である。さらに、本体前端部には不使用時に塗付先のチップで衣服などを汚さないよう、また、塗布部の乾燥防止、キズや破損などの塗布部保護のために着脱自在なキャップを有している。勿論、使用時には、このキャップを取り外すが、形状によっては持ちにくく、ケガをして両手が使用できないとき、あるいは子供、年配者など握力が十分でないときには取り外すのが大変な場合があった。特に、乾燥の早い液剤がキャップ内壁に付着してしまうと、その液剤の付着によって本体とキャップとが一見、接着されてしまったかのようになり、前記キャップの取り外し作業が著しく困難なものとなってしまっていた。
【０００４】
【課題を解決するための手段】
本発明は上記問題点に鑑みてなされたものであり、軸本体内に塗布体が内蔵されると共に、その塗布体の塗布部が覆われるキャップを有する塗布具であって、前記塗布体を軸本体に対して前後動可能に配置すると共に、前記キャップの軸本体に対する離脱作用を塗布体の後退動作に連動させたことを要旨とする。
【０００５】
【作用】
軸本体側面の押圧操作部材を押圧することにより塗布体が後退し、キャップが離脱する。
【０００６】
【実施例】
第１例を図１〜図４に示し説明する。軸本体１の内部には、リフィル２が配置されている。そのリフィル２は、液体３を収容する収容管４と、その収容管４の前方に圧入されたボールペンチップ５とから構成されている。そのボールペンチップ５の前端には、ボール６が回転自在に取り付けられているが、コイルスプリングなどの弾撥部材７によって、常に、前方に付勢されており、常時は、ボールペンチップ５の先端開口部８を塞いでいる。そして、ボールペンチップ５のボール６を塗布面などに当接させると、その当接力によってボール６が後退し、前記先端開口部８が解放することで、収容管４内の液体がボール６の回転と共に吐出する。
【０００７】
前記液体３の後端部には、収容管４の後部からの液体３の流出を防止するグリース９が介在しており、そのグリース９には合成樹脂製のフロート１０が埋没しているが、そのフロート１０は、収容されている液体３やグリース９の粘度が比較的高い場合や、リフィル２の内径が比較的小さい場合には、必ずしも必要なものではない。また、フロートを収容管４にある程度の圧入力で内接させた場合には、グリースも必ずしも必要なものではない。尚、後述もするが、これらグリース９やフロート１０は、液体の減少と共に前進するものである。
【０００８】
前記軸本体１は、前方部分で２分割（前軸１１、後軸１２）されており、圧入や螺合などの手段によって着脱自在に合体されている。
また、前記リフィル２の収容管４の後方であって、後軸１２の後部内側には、弾撥部材１３によって前方に付勢されたピストン部材１４が摺動自在に配置されている。
また、前記リフィル２の収容管４の後端には、筒状部材１４が固定されており、その筒状部材１４の内面には、ゴム状弾性体からなる弁部材１５が配置されている。その弁部材１５は、縮径された底部１６を有する筒状体１７であるが、底部１６にはスリット１８が形成されている（図２参照）。また、筒状体１７の後部外面には、鍔部１９が形成されており、前記筒状部材１４に形成された段部２０に係合している。
この弁部材１５は、順次縮径する筒状体１７を形成することによって、その筒状体１７の方向からの圧力に対しては、前記スリット１８が拡開し易く、逆の方向からの圧力に対しては、拡開しにくい構造となっている。つまり、圧力の受ける部分の面積を小さくすることによって、変形しにくくしているのである。
尚、この弁部材１５を後軸１２の中間部に配置することによって、後軸１２内は、２つの室が形成されるが、弁部材１５の後方に形成される室を加圧室２１と称し、前方に形成される室を圧力保持室２２と称する。
また、前記リフィル２は、弾撥部材１３によって前方に付勢されているが、その肩部２ａを前軸１１の前端内壁面１１ａに当接させることによって、前軸１１からの脱落を防止している。
【０００９】
符号、２３は、筒状部材１４に外嵌されたゴム状弾性体からなるＯリングであって、前記後軸１２内に常時摺接している。
ここで、前記弁部材１５の鍔部１９と後軸１２の後端内面とには、コイルスプリングなどの弾撥部材１３が張設されており、弁部材１５を常に、前方に付勢している。つまり、弁部材１５が前方に付勢されることによって、前記リフィル２も常に、前方に付勢されているのである。
【００１０】
一方、前記前軸１の中間部の側面には、窓穴２５が形成されており、その窓穴２５には、径方向に移動が可能な押圧駒２６が配置されている。その押圧駒２６の側面の４角には、脚部２７が形成されている（図４参照）。そして、その脚部２７の下端部は、前記リフィル２に一体に固定されたスライド部材２８の傾斜面２８ａに当接・係合している。このスライド部材２８について詳述する（図５参照）。スライド部材２８の両側には、前述した傾斜面２８ａが４箇所に形成されている。また、その傾斜面２８ａの内側には、前記リフィル２（収容管４）を一体的に固定する係合突部２８ｂが形成されている。勿論、この係合突部２８ｂが収容管４（リフィル２）の中間部の外面に凹部４ａとして形成されている。しかし、図６に示すように前記リフィル２の収容管４とスライド部材２８とを射出成形などの手段によって、一体成形してもよい。組み立てによる工数や、金型の製作が１つとなり、安価な製品として提供することができるようになる。
符号２９は、不使用時におけるボール６の乾燥防止や塗布部先端の保護を目的とするキャップ部材であり、そのキャップ部材２９の後端部２９ａは、前記前軸１１の前端面１１ｂに当接している。また、キャップ部材２９の内面には、円周溝２９ｂが形成されており、前記リフィル２の外周面に形成された円周突起２ｂに係合している。即ち、キャップ部材２９は、前記の係合によってリフィル２に嵌合しているが、単なる圧入構造としても良い。
【００１１】
ここで、前記グリース９の具体例としては、シリコーンや流動パラフィン、ポリブデン、アルファーオレフィンが一般的な材質として挙げられる。
また、前記ゴム状弾性体から形成される弁機構の材質としては、ニトリルゴムやスチレンブタジエンラバー、シリコーンゴム、フッ素ゴム、ブチルゴムなどが挙げられる。
さらに、前記収容管の材質としては、ステンレスや真鍮などの金属材質、フッ素やナイロンなどの樹脂材質、あるいは、そのナイロンの表面にアルミ蒸着や酸化珪素蒸着を施したもの、樹脂中にアルミ粉末やガラス粉末などを混入させた　ものなどが挙げられる。
【００１２】
次に、動作について説明する。押圧駒２６を押圧すると、その脚部２７が径方向に移動し、前記スライド部材２８を後方に移動させようとする。この作用によって、スライド部材２８に一体的に固定されたリフィル２が弾撥部材１３の弾撥力に抗して後退する。また、リフィル２の後退で筒状部材１４も後退し、後退移動課程で筒状部材１４のＯリング２３が後軸１２の貫通孔２４を通過し、このときから加圧室２１の加圧が開始される。そして、その加圧室２１の圧力がある程度高まると、弁部材１５のスリット１８が拡開して、加圧された空気が圧力保持室２２内へと移動する。この移動により、圧力保持室２２の圧力も高まり、その結果、フロート１０がグリース９と共に前進し、液体３が加圧された状態となる。即ち、空気が液体に接触した状態でその液体が加圧されるのではなく、フロートやグリースが液体に接触した状態でその液体を加圧するのである。そして、前記加圧室２１内の圧力と圧力保持室２２内の圧力が同じくなると、前記弁部材１５のスリット１８が閉鎖する。
この加圧動作とほぼ同時に、つまり、リフィル２が後退する時に、そのリフィル２に係合されているキャップ部材２９も後退しようとするが、その後端部２９ａが前軸１１の前端部１１ｂに当接しているため、キャップ部材２９の後退動作は阻止され、その結果、リフィル２のみが後退することになり、キャップ部材２９はリフィル２から離脱する（図７参照）。
尚、図示はしないが、キャップ部材と前軸を細い糸や軟質樹脂製の帯板などで連結しておけば、キャップ部材の離脱時におけるキャップ部材の落下および紛失などが防止される。
【００１３】
ここで、前記押圧駒２６から指を離し、押圧動作を解除すると、前記リフィル２は弾撥部材１３や加圧されている加圧室２１内の空気の復元力によって後退する。この時、前記加圧室２１が減圧し、それに伴い圧力保持２２も減圧しようとするが、前記弁部材１５のスリット１８が閉鎖されているため、圧力保持室２２内の圧力は保たれる。
また、リフィル２の復帰過程で、筒状部材１３のＯリング２３が、前記後軸１２の貫通孔２４に達すると、加圧室２１と外部とが連通されるため、新たな空気が前記加圧室２１内に入り込み、前記加圧室２１内の減圧状態が解消される。
【００１４】
このように、本例においては、押圧駒２６を押圧することによって、キャップ部材２９をリフィル２から離脱させると同時に、リフィル２内を加圧するピストン部材を一定量前進（後退）させることができるため、圧力保持室内に加える圧力を一定量ごと加圧することができる。
また、弁部材１５を変形可能なゴム状弾性体から構成しているため、押圧駒２６の繰り返しの押圧によって発生した過大な圧力を、圧力保持室２２に付与させてしまったときには、ピストン部材の復帰後、弁部材１５のスリット１８が拡開して、余分な圧力を加圧室２１に戻すと共に、貫通孔２４から排出される。これにより、液体の出過ぎや塗布部からの液体の漏れなどが防止される。
【００１５】
第２例を図８に示し説明する。前記第１例と同様な構成は、その説明は、その説明を省略する。リフィル２の内部に液剤を含有させる中綿部材３０を配置し、また、塗布部には多数の繊維を圧縮・固化したペン芯部材３１を取り付けた例である。油性マーカーペンやボールペンとして使用される例である。
尚、本例においては、キャップ部材２９の端部２９ｃの直径が前軸部１１　　に比し比較的大きなものとなっている。即ち、キャップ部材２９を下方に向けた状態で机上などに設置しておくことができる。これにより、片手でのキャップ装着も可能となり、利便性がさらに向上する。
また、前軸孔部から突出している押圧駒２６の周囲には、その押圧駒２６の高さと連続する隆起部１ａが前後に形成されている（図９参照）。カバンの中などで押圧駒２６が誤って押されないようにするためであるが、押圧操作時の支障とならないように押圧駒２６の側部は露出している。この隆起部１ａは、机の上に置いた時など、転がり止めの役割も果たしている。
【００１６】
第３例を図１０に示し説明する。誤って押圧駒２６を押圧してしまった時、キャップ部材がリフィルから離脱するのを防止した例である。具体的には、キャップ部材３２の長手方向の長さが、前例のキャップ部材よりも短くなっている。つまり、前軸１１の前端部１１ｂとキャップ部材３２の後端部３２ａとの間には、隙間３３が形成されている。押圧駒２６がカバンの中などで僅かに押圧されてしまった場合など、リフィル２が後退しはじめても隙間３２があるために前軸１１の前端部１１ｂには当接せず、その結果、直ちには、キャップ２９がリフィル２から離脱しないのである。
【００１７】
【発明の効果】
本発明は軸本体内に塗布体が内蔵されると共に、その塗布体の塗布部が覆われるキャップを有する塗布具であって、前記塗布体を軸本体に対して前後動可能に配置すると共に、前記キャップの軸本体に対する離脱作用を塗布体の後退動作に連動させたので、容易に軸本体からキャップを離脱させることができる。
【図面の簡単な説明】
【図１】本発明の第１例を示す縦断面図。
【図２】弁部材を示す斜視図。
【図３】図１のＡ−Ａ線断面図。
【図４】押圧駒を示す斜視図。
【図５】スライド部材を示す斜視図。
【図６】収容管とスライド部材を一体形成した斜視図。
【図７】動作を示す縦断面図。
【図８】第２例を示す縦断面図。
【図９】第２例を示す斜視図。
【図１０】第３例を示した縦断面図。
【符号の説明】
１　　軸本体
１ａ　隆起部
２　　リフィル
２ａ　肩部
３　　液体
４　　収容管
５　　ボールペンチップ
６　　ボール
７　　弾撥部材
８　　先端開口部
９　　グリース
１０　　フロート
１１　　前軸
１１ａ　前端内壁面
１１ｂ　前端面
１２　　後軸
１３　　弾撥部材
１４　　筒状部材
１５　　弁部材
１６　　底部
１７　　筒状体
１８　　スリット
１９　　鍔部
２０　　段部
２１　　加圧室
２２　　圧力保持室
２３　　Ｏリング
２４　　貫通孔
２５　　窓穴
２６　　押圧駒
２７　　脚部
２８　　スライド部材
２８ａ　傾斜面
２８ｂ　係合筒部
２９　　キャップ部材
２９ａ　後端部
２９ｂ　円周溝
２９ｃ　端部
３０　　中綿部材
３１　　ペン芯部材
３２　　キャップ部材
３２ａ　後端部
３３　　隙間
【図１】
2004025763.tif 000003
【図２】
2004025763.tif 000004
【図３】
2004025763.tif 000005
【図４】
2004025763.tif 000006
【図５】
2004025763.tif 000007
【図６】
2004025763.tif 000008
【図７】
2004025763.tif 000009
【図８】
2004025763.tif 000010
【図９】
2004025763.tif 000011
【図１０】
2004025763.tif 000012